(57)【要約】【課題】ディスク装置のダンパー構造において、読取装置を防振部材に対して簡単にかつ確実に固定し、防振性能を向上させる。【解決手段】ディスク装置のダンパー構造は、メインシャーシにエラストマーで構成された防振部材８０を介してフローティング支持されたフローティングシャーシ１３を備え、フローティングシャーシ１３に記録媒体の情報を読み取るピックアップ装置を設け、防振部材８０は樹脂製の被ネジ部８６を一体に備え、被ネジ部８６に締め込まれるネジ７０によってフローティングシャーシ１３が防振部材８０に直接固定された。【選択図】図１０
2010257536.tif 000002
【特許請求の範囲】
【請求項１】
メインシャーシにエラストマーで構成された防振部材を介してフローティング支持されたフローティングシャーシを備え、
前記フローティングシャーシに記録媒体の情報を読み取る読取装置を設け、
前記防振部材は樹脂製の被ネジ部を一体に備え、
前記被ネジ部に締め込まれるネジによって前記フローティングシャーシを前記防振部材に直接固定したこと、
を特徴とするディスク装置のダンパー構造。
【請求項２】
前記被ネジ部が円筒穴を備え、前記円筒穴にタッピングネジを螺子込んで、前記フローティングシャーシを前記防振部材に直接固定したこと、
を特徴とする請求項１に記載のディスク装置のダンパー構造。
【請求項３】
前記防振部材は蛇腹状の中空に形成され、前記被ネジ部が前記中空内に浮動状態で前記防振部材の頂部に一体化されていること、
を特徴とする請求項１または２記載のディスク装置のダンパー構造。
【請求項４】
前記被ネジ部の上部は前記防振部材の上面から突出し、前記上部が径方向に張り出す位置決め部を備え、前記位置決め部が前記フローティングシャーシの係止孔に嵌合して位置決めされること、
を特徴とする請求項１ないし３のいずれか一項記載のディスク装置のダンパー構造。
【発明の詳細な説明】
【技術分野】
【０００１】
本発明は、ＣＤ（コンパクトディスク）、ＤＶＤ（デジタル・バーサタイル・ディスク）等を記録媒体とするディスク装置をフレーム等に防振して固定するダンパー構造に関する。
【背景技術】
【０００２】
従来、ディスク装置のダンパー構造において、記録媒体に記憶された情報を読み取る読取装置と、この読取装置が固定されるフレーム等との間に防振部材を介装し、フレーム及び防振部材を貫通するとともに読取装置の雌ネジ部に締め込まれるネジによって上記読取装置を固定するものが知られている（例えば、特許文献１参照）。
【先行技術文献】
【特許文献】
【０００３】
【特許文献１】特開２００６−１０７６６１号公報
【発明の概要】
【発明が解決しようとする課題】
【０００４】
しかしながら、上記従来の構成では、防振部材に上記ネジが通る貫通孔を設けると共に、読取装置に雌ネジ部を形成する必要があり、工数がかかっていた。また、上記防振部材は上記ネジによる締結力によってフレームと読取装置との間に狭持されており、ネジ及び読取装置に対して完全に固定された状態ではなかった。このため、読取装置及びネジと防振部材との間で擦れが生じ、防振部材が振動に追従できずに防振効果が低下する可能性があった。
【０００５】
本発明は、上述した事情に鑑みてなされたものであり、ディスク装置のダンパー構造において、読取装置を防振部材に対して簡単にかつ確実に固定し、防振性能を向上することを目的とする。
【課題を解決するための手段】
【０００６】
上記目的を達成するために、本発明は、メインシャーシにエラストマーで構成された防振部材を介してフローティング支持されたフローティングシャーシを備え、前記フローティングシャーシに記録媒体の情報を読み取る読取装置を設け、前記防振部材は樹脂製の被ネジ部を一体に備え、前記被ネジ部に締め込まれるネジによって前記フローティングシャーシを前記防振部材に直接固定したことを特徴とするディスク装置のダンパー構造を提供する。
この構成によれば、エラストマーの防振部材に一体に形成された樹脂製の被ネジ部に、フローティングシャーシをネジによって直接固定するため、エラストマー製の防振部材であってもネジを用いてフローティングシャーシを直接固定できる。これにより、フローティングシャーシを、ネジによって簡単にかつ確実にエラストマーの防振部材に固定できる。また、ネジを防振部材の被ネジ部に締め込んで密着した状態で完全に固定できるため、ネジと防振部材との間の擦れを防止でき、防振部材の磨耗を防止できる。さらに、ネジを防振部材に完全に固定できるため、振動に対する防振部材の追従性を向上でき、フローティングシャーシに設けられた読取装置を効果的に防振できる。これにより、読取装置によって記録媒体の情報を確実に読み取ることができる。
【０００７】
また、上記構成において、前記被ネジ部が円筒穴を備え、前記円筒穴にタッピングネジを螺子込んで、前記フローティングシャーシを前記防振部材に直接固定しても良い。
この場合、被ネジ部が円筒穴を備えるため、予め形成された円筒穴にタッピングネジを螺子込むだけで、フローティングシャーシを防振部材に簡単に直接固定できる。
【０００８】
また、前記防振部材は蛇腹状の中空に形成され、前記被ネジ部が前記中空内に浮動状態で前記防振部材の頂部に一体化されても良い。
この場合、防振部材が蛇腹状の中空に形成され、被ネジ部が中空内に浮動状態で防振部材の頂部に一体化されているため、防振部材の変形を利用してフローティングシャーシを効果的に防振でき、防振性能を向上できる。
【０００９】
さらに、前記被ネジ部の上部は前記防振部材の上面から突出し、前記上部が径方向に張り出す位置決め部を備え、前記位置決め部が前記フローティングシャーシの係止孔に嵌合して位置決めされても良い。
この場合、防振部材の上部の位置決め部をフローティングシャーシの係止孔に嵌合させて、簡単に位置決めできる。
【発明の効果】
【００１０】
本発明によれば、ディスク装置のダンパー構造において、読取装置を防振部材に対して簡単にかつ確実に固定し、防振性能を向上できる。
【図面の簡単な説明】
【００１１】
【図１】本発明に係るディスクプレーヤの一実施の形態を示す斜視図である。
【図２】アッパーシャーシを取り外した斜視図である。
【図３】メインシャーシの斜視図である。
【図４】メインシャーシにドライブユニットを取り付けた左方視の斜視図である。
【図５】メインシャーシにドライブユニットを取り付けた右方視の斜視図である。
【図６】メインシャーシにドライブユニットを取り付けた平面図である。
【図７】フローティングシャーシの取り付け状態を示す斜視図である。
【図８】防振部材の断面を示す斜視図である。
【図９】防振部材の近傍の分解斜視図である。
【図１０】図９の防振部材の近傍の断面を示す斜視図である。
【発明を実施するための形態】
【００１２】
以下、本発明の一実施の形態を、図面に基づき説明する。
図１は、本実施の形態に係るディスクプレーヤの外観を示す斜視図である。このディスクプレーヤ１０（ディスク装置）は、車両に搭載される車載機器であり、ＣＤ、ＤＶＤ等の例えば直径８ｃｍや、直径１２ｃｍ等の大きさの記録媒体ディスクを内部に引き込み、このディスクに記録された情報を再生するものである。１は本体を示し、この本体１は板金製のシャーシ３を備えている。このシャーシ３はメインシャーシ５と、このメインシャーシ５の上方を覆うアッパーシャーシ７とを備え、その内側には、図１では図示を省略したが、ディスクをローディングするためのローディングメカニズム、ローディングされたディスクをクランプするためのクランパメカニズム、クランプされたディスクをドライブするためのドライブメカニズム等が設けられている。
【００１３】
図２は、アッパーシャーシ７を取り外した斜視図であり、図３は、メインシャーシ５の斜視図であり、図４は、メインシャーシ５にドライブユニット９を取り付けた左方視の斜視図であり、図５は、同じくメインシャーシ５にドライブユニット９を取り付けた右方視の斜視図である。
【００１４】
上記メインシャーシ５は、図３に示すように、枠状に形成され、このメインシャーシ５には、エラストマーにより構成された３つの防振部材８０が取り付けられ、この防振部材８０の上に、図２に示すように、クランパメカやドライブメカが一体化されたドライブユニット９が載置されて、フローティング支持されている。
ドライブユニット９は、図４及び図５に示すように、防振部材８０により支持されるフローティングシャーシ１３と、ディスクの半径方向に移動しディスクの情報を読み取るピックアップ部１０５（読取装置）と、フローティングシャーシ１３の後端部の両側にヒンジ１５で連結され、先端１７Ａを閉じる方向にばね付勢されて、フローティングシャーシ１３と協働してディスクを挟持するスイングプレート１７と、狭持されたディスクを回転させるディスク駆動部５５とを備えている。
スイングプレート１７の先端１７Ａにはマグネット入りの回転板１９が支持され、回転板１９に対向するターンテーブル２１が、フローティングシャーシ１３に支持されている。そして、後述するように、ディスクが挿入されて、スイングプレート１７が閉じると、先端１７Ａの回転板１９とターンテーブル２１とで挟持されてディスクが回転可能になる。
【００１５】
図１に示すように、本体１の前面には横長のディスクの挿入口２３が形成され、この挿入口２３の奥には、図２に示すように、メインシャーシ５の前部のモータ２４で駆動されるローディングローラ２５が設けられている。
ローディングローラ２５は、ディスクが検知されると、モータ２４により駆動されて、当該ディスクを本体１内に引き込む。図２に示すように、ローディングローラ２５は、ローラプレート２７に支持され、ローラプレート２７の基部は、ヒンジピン２８によりメインシャーシ５に連結されている。よって、ローディングローラ２５は、ヒンジピン２８を中心に揺動するローラプレート２７の揺動によって、その高さ位置を変位させる。
【００１６】
ドライブユニット９の上面の左後部には支持ピン３０を介してトリガープレート３１が揺動自在に支持されている。このトリガープレート３１は、ばね３１Ｓにより、反時計方向に付勢されており、その一端３１Ａには、ドライブユニット９の内方に折り曲げられた、２つの爪部３２，３３が各々一体に形成されている。一方の爪部３２には、引き込まれた８ｃｍディスクが当接可能であり、他方の爪部３３には、引き込まれた１２ｃｍディスクが当接可能である。トリガープレート３１の他端３１Ｂは、ドライブユニット９の外側に延出し、ドライブユニット９の外壁に沿って下方に折り曲げられている。この他端３１Ｂは、メインシャーシ５に配置されたトリガー３５の後面３５Ｋに当接する。そして、ディスクが本体１に引き込まれ、爪部３２，３３のいずれかに当接し、トリガープレート３１が反時計方向に回動すると、このトリガープレート３１が、トリガー３５を前進（矢印Ｘの方向）させる。このトリガー３５は、図４に示すように、ばね３４により、通常時、他端３１Ｂ側（矢印Ｙの方向）に付勢されている。
【００１７】
このトリガー３５の一部は、図４に示すように、メインシャーシ５の底部を前方に延出し、この延出部の上面にはトリガーラックギア３５Ａが一体に形成されている。このトリガーラックギア３５Ａの前方には、メインシャーシ５の側板５Ａ（図３参照）に支持されたファイナルギア３７が配置されている。このファイナルギア３７は、通常時にトリガーラックギア３５Ａに噛み合わない位置に支持されており、トリガープレート３１が回動して、トリガー３５が前進したときにのみ、トリガーラックギア３５Ａに噛み合う。ファイナルギア３７は、図２に示すように、複数のギアからなるギア輪列３８を介して、メインシャーシ５の前部の上記モータ２４に連結されており、モータ２４の駆動時に、トリガーラックギア３５Ａとファイナルギア３７とが一旦噛み合うと、それ以後は、ファイナルギア３７を介して伝達されるモータ２４の駆動力でトリガー３５が前進する。
【００１８】
トリガー３５には、図４に示すように、トリガーカム４１が一体に連結されている。このトリガーカム４１は、ギア輪列３８の内側を当該ギア輪列３８と平行に延出し、その中程の上面には前方側にかけて徐々に、階段状に高くなるカム面４１Ａが形成されている。また、トリガーカム４１の先端部にはローディングローラ２５の駆動軸２５Ａ（図２参照）を案内する前上がりの階段状の傾斜溝４１Ｂが形成されている。さらに、カム面４１Ａには、ドライブユニット９のスイングプレート１７の前部が前方に延出したアーム部１７Ｂが当接している。
トリガー３５がファイナルギア３７に噛み合い、そのストロークエンドに移動し、トリガーカム４１を押すと、トリガーカム４１のラックがファイナルギア３７と噛み合い、トリガーカム４１が前進（矢印Ｘの方向）する。
【００１９】
上記トリガーカム４１が前進（矢印Ｘの方向）すると、上記アーム部１７Ｂが当接しているカム面４１Ａが徐々に低くなって、スイングプレート１７が、ばね力で閉じる方向に揺動し、さらに前進してトリガーカム４１が前進限界の位置に移動すると、アーム部１７Ｂがカム面４１Ａから完全に離れ、スイングプレート１７の先端の回転板１９と、ターンテーブル２１とによるディスクのクランプが完了する。それと同時に、スイングプレート１７のアーム部１７Ｂとカム面４１Ａとの係合が解除され、これによって、ドライブユニット９が、３つの防振部材８０を介して完全にフローティング支持される。
また、同時に、ローディングローラ２５の駆動軸２５Ａが、傾斜溝４１Ｂに沿って低い位置に移動してローラプレート２７が揺動すると、ローディングローラ２５が下方に変位し、このローディングローラ２５が、クランプ時のディスクの下面から離れる。この状態において、ターンテーブル２１を回転させるとともに、ディスクの半径方向にピックアップ部１０５を移動させることにより、当該ディスクの情報が読み込まれる。
【００２０】
上記モータ２４を逆回転させると、ギア輪列３８、ファイナルギア３７及びトリガーラックギア３５Ａを介して、トリガー３５及びトリガーカム４１が後退（矢印Ｙの方向）する。それに伴って、上記アーム部１７Ｂが当接しているカム面４１Ａが徐々に高くなり、スイングプレート１７が、ばね力に抗して押し上げられて開く方向に揺動する。さらに後退してトリガーカム４１が後退限界の位置に移動すると、アーム部１７Ｂがカム面４１Ａの最も高い位置に乗り上げて、スイングプレート１７の先端の回転板１９と、ターンテーブル２１との間にディスク挿入用の隙間が形成される。
【００２１】
それと同時に、ローディングローラ２５の駆動軸２５Ａが、傾斜溝４１Ｂに沿って徐々に高い位置に移動し、後退限界の位置では、ローラプレート２７の揺動により、ローディングローラ２５が、ディスクの下面に接触するまで高く変位する。そして、ローディングローラ２５と接触したディスクは、ローディングローラ２５により挿入口２３からイジェクトされる。
【００２２】
図６は、メインシャーシ５にドライブユニット９を取り付けた平面図である。ここで、図６では、記録媒体としてのディスク４０を２点鎖線で示している。
図６に示すように、ピックアップ部１０５は、ディスク４０の情報を読み取るピックアップ本体１０８と、ピックアップ本体１０８をディスク４０の半径方向（図中Ｐ方向）に移動させるピックアップ駆動部１１０とを有している。
ピックアップ本体１０８は、ディスク４０の情報記録面に向けてレーザ光を照射するレーザーダイオードと、このレーザ光の反射光を受光する受光素子と、この照射光及び反射光を集光するための対物レンズ等の光学系とを備え、読み取った情報を再生部（図示略）に出力する。この再生部は、制御部（図示略）の制御の下、ピックアップ本体１０８により読み取られた信号からディスク４０に記憶された情報を再生するものである。
【００２３】
ドライブユニット９のフローティングシャーシ１３には、開口部４５が形成され、ピックアップ部１０５は、この開口部４５に跨るようにしてフローティングシャーシ１３に取り付けられている。ピックアップ駆動部１１０は、ディスク４０の半径方向に沿って設けられたリードスクリュー１１１と、このリードスクリュー１１１に略平行に配置された２本の案内シャフト１１２、１１３と、これら案内シャフト１１２、１１３間に掛け渡されるとともに、上記リードスクリューの回転により、当該案内シャフト１１２、１１３の軸方向に沿ってスライド移動自在なピックアップ光学部品支持部材１１４とを備える。ピックアップ本体１０８は、ピックアップ光学部品支持部材１１４に搭載されて案内シャフト１１２、１１３上をスライドする。
【００２４】
リードスクリュー１１１の一端には、リードスクリュー１１１を回転駆動するステッピングモータ１１６が直結されており、リードスクリュー１１１の他端はベースプレート１１６Ａに形成された軸受部１１６Ｂによって回転自在に支持されている。また、案内シャフト１１２、１１３は、それぞれフローティングシャーシ１３の下面側に形成された軸受部（不図示）によって支持されている。
また、フローティングシャーシ１３には、ディスク駆動部５５が取り付けられており、ディスク駆動部５５は、ターンテーブル２１と、ターンテーブル２１と一体的に設けられターンテーブル２１を回転駆動する駆動モータ（図示略）とを備えている。
フローティングシャーシ１３は、ピックアップ部１０５及びディスク駆動部５５を備え、ディスク４０を回転駆動してディスク４０の情報を読み取る読取モジュールＭを構成している。
【００２５】
以下、フローティングシャーシ１３の取り付け構造について説明する。
図３に示すように、メインシャーシ５の底面に形成された略矩形の開口部５Ｂの縁部には、互いに間隔を開けて３個の防振部材８０が設けられている。各防振部材８０は円柱状に形成され、その底部にはメインシャーシ５の底面に沿って突出した固定部６１が形成されており、各防振部材８０は、固定部６１に挿通される固定具（図示略）を介してメインシャーシ５に固定される。
【００２６】
図７は、フローティングシャーシ１３の取り付け状態を示す斜視図である。ここで、図７では、ピックアップ部１０５及びディスク駆動部５５がフローティングシャーシ１３から取り外された状態を示している。
板状のフローティングシャーシ１３は、その下面が各防振部材８０の上部に当接した状態で支持され、フローティングシャーシ１３の上面から挿通されるネジ７０によって各防振部材８０に締結されて直接固定されている。すなわち、フローティングシャーシ１３は、防振部材８０及びネジ７０を備えたダンパー構造によって支持されている。
【００２７】
板状のフローティングシャーシ１３の中央には開口部４５が形成され、ディスク駆動部５５が取り付けられる部分には、ターンテーブル２１の形状に対応した略円形の開口４５Ａが形成されている。各防振部材８０は、開口部４５及び開口４５Ａの縁部に沿って互いに間隔をあけて設けられており、開口部４５及び開口４５Ａに配設されるピックアップ部１０５及びディスク駆動部５５を平面視で外側から支持している。このように、各防振部材８０は、ピックアップ部１０５及びディスク駆動部５５を外側から複数箇所でバランス良く支持しているため、フローティングシャーシ１３を介して外部からピックアップ部１０５及びディスク駆動部５５に伝わる振動を効果的に減衰できる。これにより、本体１によって、例えばＣＤ等の音楽を再生中に車両が振動したとしても、ピックアップ部１０５及びディスク駆動部５５が振動に影響されることを防止でき、音楽再生中の音飛びを防止できる。
【００２８】
図８は、防振部材８０の断面を示す斜視図である。
図８に示すように、防振部材８０は蛇腹状の中空に形成されている。詳細には、防振部材８０は、先細りの円柱状に形成されており、平面視で円形に形成されメインシャーシ５に当接する底部８１と、底部８１の縁部から上方に突出する壁部８２と、壁部８２の上部を覆う天部８３（防振部材の上面）とを有し、その内部には中空部８４が形成されている。壁部８２は、上方へ向かって階段状に屈曲し、蛇腹状に形成されており、蛇腹状の部分はリブとしての機能を有する。このため、防振部材８０は、内部に中空部８４を有しつつ、フローティングシャーシ１３を支持するための十分な強度及び剛性が確保されている。
【００２９】
防振部材８０の天部８３の中央部には、底部８１の側へ内方へ向けて凹んだ凹部８５が形成されている。凹部８５は円筒状に形成されて中空部８４内を下方へ延び、凹部８５の底８５Ａは、天部８３と底部８１との間の中間部に位置している。凹部８５は底８５Ａが底部８１に接しておらず、中空部８４内において浮動状態となっている。
【００３０】
凹部８５内には、凹部８５の内周面に密着するように円筒状の被ネジ部８６が設けられている。すなわち、凹部８５内に設けられた被ネジ部８６は、中空部８４内において浮動状態で防振部材８０の頂部８９に一体化されている。この被ネジ部８６は、フローティングシャーシ１３を固定するネジ７０が締め込まれる部分であり、その内部にはネジ７０が入り込む円筒穴８６Ａを有している。
また、被ネジ部８６は樹脂により構成されており、エラストマーによって構成される防振部材８０を成形する際に、一体成形されている。このため、被ネジ部８６を簡単に形成できる。ここでは、被ネジ部８６の樹脂材料としてポリプロピレンを用いているが、ナイロンやＡＢＳといった他の樹脂材料を用いても良い。
さらに、被ネジ部８６の上部には、天部８３から突出した突出部８７が形成され、突出部８７は、被ネジ部８６の径方向に張り出した位置決め部８７Ａを有している。
【００３１】
図９は、防振部材８０の近傍の分解斜視図である。図１０は、図９の防振部材８０の近傍の断面を示す斜視図である。なお、本実施の形態では、３箇所に防振部材８０を設けているが、各防振部材は同様にフローティングシャーシ１３を支持しており、ここでは、開口４５Ａの近傍に設けられた防振部材８０について説明する。
図９に示すように、フローティングシャーシ１３において防振部材８０に対応した位置には、ネジ７０のネジ部７０Ａが挿通される係止孔６６が形成されている。この係止孔６６は、長孔部６６Ａを有し、長孔部６６Ａに防振部材８０の位置決め部８７Ａが嵌合することで、防振部材８０がフローティングシャーシ１３に正しく位置決めされる。
【００３２】
ネジ７０は、金属製のタッピングネジであり、ポリプロピレンにより構成された被ネジ部８６の円筒穴８６Ａに螺子込まれる際に、ネジ部７０Ａが螺号する雌ネジ部を同時に形成するものである。このため、ネジ部７０Ａが螺号する雌ネジ部を被ネジ部８６に形成する工程を削減することができる。
【００３３】
そして、図１０に示すように、フローティングシャーシ１３は、位置決め部８７Ａを含む突出部８７が係止孔６６に嵌合され、天部８３がフローティングシャーシ１３の下面に当接した状態で、被ネジ部８６にネジ７０が直接締め込まれ、ネジ７０の頭部７０Ｂと天部８３との間に挟まれるようにして固定される。このように、樹脂製の被ネジ部８６にネジ７０を直接締め込むため、被ネジ部８６とネジ７０とを完全に密着した状態で強固に固定でき、防振部材８０をエラストマーで構成した場合においても、ネジ７０によってフローティングシャーシ１３を防振部材８０に確実に固定できる。また、ネジ７０を被ネジ部８６に締め込むだけでフローティングシャーシ１３を簡単に固定でき、組立て工程の自動化が容易である。
また、係止孔６６内において、突出部８７の上面は、フローティングシャーシ１３の上面よりも下方に位置しており、突出部８７が頭部７０Ｂによる締付けを妨げることがない。
【００３４】
フローティングシャーシ１３は、ネジ７０を介して、中空部８４内で浮動状態に設けられた被ネジ部８６の円筒穴８６Ａに締め込まれてフローティングマウントされている。これにより、防振部材８０は、主として壁部８２が僅かに変形することで、フローティングシャーシ１３が防振部材８０と共に僅かに変位可能な状態でフローティングシャーシ１３を支持するため、メインシャーシ５から防振部材８０を介してフローティングシャーシ１３に伝わる振動を、防振部材８０の変形を利用して効果的に減衰できる。
【００３５】
以上説明したように、本発明を適用した実施の形態によれば、エラストマーの防振部材８０に一体に形成された樹脂製の被ネジ部８６に、フローティングシャーシ１３をネジ７０によって直接固定するため、エラストマー製の防振部材８０であってもネジ７０を用いてフローティングシャーシ１３を直接固定できる。これにより、フローティングシャーシ１３を、ネジ７０によって簡単にかつ確実にエラストマーの防振部材８０に固定できる。また、ネジ７０を防振部材８０の被ネジ部８６に締め込んで密着した状態で完全に固定できるため、ネジ７０と防振部材８０の被ネジ部８６との間の擦れを防止でき、防振部材８０の磨耗を防止できる。
さらに、ネジ７０を防振部材８０に完全に固定できるため、振動に対する防振部材８０の追従性を向上でき、フローティングシャーシ１３に設けられたピックアップ部１０５及びディスク駆動部５５を効果的に防振できる。従って、本体１を搭載した車両が走行中等に振動した場合に、車両からピックアップ部１０５及びディスク駆動部５５に伝わる振動を防振部材８０によって減衰でき、ディスク４０に記憶された情報をピックアップ部１０５によって確実に読み取ることができる。
【００３６】
また、被ネジ部８６が円筒穴８６Ａを備えるため、予め形成された円筒穴８６Ａにタッピングネジであるネジ７０を螺子込むだけで、フローティングシャーシ１３を防振部材８０に簡単に直接固定できる。
また、防振部材８０が蛇腹状の中空に形成され、被ネジ部８６が中空部８４内に浮動状態で防振部材８０の頂部８９に一体化されているため、防振部材８０の変形を利用してフローティングシャーシ１３を効果的に防振でき、防振性能を向上できる。
さらに、防振部材８０の上部に形成された突出部８７の位置決め部８７Ａを、係止孔６６の長孔部６６Ａに嵌合させることで、防振部材８０をフローティングシャーシ１３に係止孔６６に簡単に位置決めできる。
【００３７】
なお、上記実施の形態は本発明を適用した一態様を示すものであって、本発明は上記実施の形態に限定されない。
上記実施の形態では、ネジ７０は、金属製のタッピングネジであり、ポリプロピレンにより構成された被ネジ部８６の円筒穴８６Ａに螺子込まれる際に、ネジ部７０Ａが螺号する雌ネジ部を同時に形成するものであるとして説明したが、本発明はこれに限定されるものではなく、例えば、ネジ７０を樹脂で構成し、予め円筒穴８６Ａに雌ネジ部を形成しておき、この雌ネジ部に樹脂製のネジ７０を締め込んでフローティングシャーシ１３を固定しても良い。また、上記実施の形態では、凹部８５内に設けられた被ネジ部８６は、中空部８４内において浮動状態であるものとして説明したが、これに限らず、防振部材８０を中実に形成し、防振部材８０の上部に被ネジ部８６を固定状態で設けても良い。
また、その他の本体１の細部構成についても任意に変更可能であることは勿論である。
【符号の説明】
【００３８】
５  メインシャーシ
１０  ディスクプレーヤ（ディスク装置）
１３  フローティングシャーシ
４０  ディスク（記録媒体）
６６  係止孔
６６Ａ  長孔部
７０  ネジ
８０  防振部材
８３  天部（防振部材の上面）
８４  中空部（中空）
８５  凹部
８５Ａ  底
８６    被ネジ部
８６Ａ  円筒穴
８７    突出部（被ネジ部の上部）
８７Ａ  位置決め部
８９  頂部
１０５  ピックアップ部（読取装置）
【図１】
2010257536.tif 000003
【図２】
2010257536.tif 000004
【図３】
2010257536.tif 000005
【図４】
2010257536.tif 000006
【図５】
2010257536.tif 000007
【図６】
2010257536.tif 000008
【図７】
2010257536.tif 000009
【図８】
2010257536.tif 000010
【図９】
2010257536.tif 000011
【図１０】
2010257536.tif 000012